(57)【要約】【課題】  ページめくり、特に楽譜めくりを単純な装置と仕組で効率的な効果を上げる。めくる以前にその演奏中の前後の譜面が見られる連続性同時視野によるページめくりシステム。【解決手段】  第一の手段は、ページめくりに一番手軽で優れた機能をもっている指の働きを最大限に引き出すべく、カップ状の指の腹に合わせ、めくり用の指掛け孔である円い孔を紙面のめくりやすいところに、冊子の通し孔として開け、その孔のエッジにカップ状の指の腹を当て、引っ掛けるようにしてページめくりをする。第二の手段は、片面４ページ以上の屏風折の楽譜において、４ページ分の楽譜を同時視野の下に展開表示し、２ページ分の演奏が終了した後、続く３、４ページ分の演奏の中で支障のないタイミングを選び譜めくりをする。譜めくりは４ページ分の中央の山折部を摘み、左の楽譜溜部１１へ送ることにより、連続して同時視野の下に右の楽譜溜部１２から続きの楽譜が同時に引き出される。【選択図】図４
2009137301.tif 000002
【特許請求の範囲】
【請求項１】
冊子又は定形の複数の紙葉において、紙片縁内の紙面所定位置に紙片めくり用の指掛け孔を設けることと、前記指掛け孔は円孔で重ね切通し状の貫通孔であることを特徴とする紙片めくり装置。
【請求項２】
指掛け孔の切り口が、波形状にカットされている、請求項１記載の紙片めくり装置。
【請求項３】
請求項１又は２の紙片めくり装置において、指掛け孔に引っ掛ける摩擦体は、円孔に対応して当接するカップ状、又は円柱状の摩擦体である紙片めくり具。
【請求項４】
指掛け孔が、組孔である、請求項１又は２に記載の紙片めくり装置。
【請求項５】
片面４ページ以上の屏風折の楽譜から成る冊子に於いて、４ページ分の楽譜を同時視野の下に展開表示し、最初の２ページ分の演奏が終了した後、続く３−４ページ分の演奏の中で支障のないタイミングを選び、展開表示してある前記４ページ分の中程にある屏風折楽譜の山折部、又は山折部にある組孔を摘み、最初の２ページ分を左の楽譜溜部へ送るようにめくり納めることにより、続く５−６ページ分の楽譜が右の楽譜溜部から同時に引き出され、連続性同時視野の下に改めて次の４ページ分の楽譜が展開表示される楽譜の譜面めくり機構。
【請求項６】
片面４ページ以上の屏風折の楽譜から成る冊子に於いて、４ページ分の楽譜を同時視野の下に展開表示し、第１パートの楽譜は１ページ目と８ページ目、第２パートの楽譜は２ページ目と４ページ目のように偶数ページと奇数ページに分け、演奏が同時進行になるように展開表示した楽譜となっている。両パートがそれぞれ最初のページの演奏が終了した後、続く次のページの演奏の中で、両パートのどちらかが支障のないタイミングを選び、展開表示してある４ページ分の中程にある２ページ目と３ページ目の境目の山折部、又は山折部にある組孔を摘み、左の２ページ分を左の楽譜溜部へ送るようにめくり納めることにより、続く５−６ページ分の楽譜が右の楽譜溜部から同時に引き出され、連続性同時視野の下に改めて次の４ページ分の楽譜が展開表示される、連弾用屏風折り楽譜の譜面めくり機構。
【請求項７】
片面４ページ以上の屏風折りの楽譜から成る冊子に於いて、請求項５又は６記載の譜面めくり機構を備えた屏風折楽譜。
【請求項８】
屏風折りの台紙による冊子に於いて、前記台紙の各ページに請求項１又は２記載の紙片めくり装置を設け、前記台紙に紙葉を貼着する屏風折り紙葉ホルダー。
【請求項９】
冊子の紙片周縁部に突出して配設する付け札に於いて、前記付け札に指掛け孔を設けた付け札仕様の紙片めくり具。
【請求項１０】
冊子の紙片周縁部に突出して配設する付け札に於いて、前記付け札は弾性素材製である付け札。
【発明の詳細な説明】
【技術分野】
【０００１】  本発明は、紙葉又は冊子の紙片めくり、特に楽譜めくりに関する。
【背景技術】
【０００２】  一般的に指による楽譜めくりは、湿りのある指の腹で摩擦を利用し、紙の表面を擦るようにして一枚の紙を手繰り寄せてめくるか、あるいは紙片の周縁のエッジ部分を指先で軽く擦るようにして一枚の紙を選び、摘んでめくるが、演奏者自身で楽譜めくりをする場合は一瞬の動作の中で処理できず、演奏の流れが中断することもあった。【０００３】  また、楽譜めくりで指を加湿するため不用意に指を舐めて、乱暴に楽譜めくりをすることもあり、練習などでも繰り返し使われる楽譜において、不衛生な汚れと傷みは想像以上である。【０００４】  従来の技術の例として楽譜の譜面から突出片を取り付け、手の指でつまんで楽譜めくりをするものがある。（例えば、特公開２０００−１９０６６２参照）。
また、乳幼児用書物の紙面の周縁部に切り欠き部、あるいは取っ手兼用のたて長の穴を開けることにより、ページめくり用のつまみ部を形成するものもある。（例えば、実公開０５−０１８８６４号公報参照）。【０００５】  以上述べた従来のものは、問題点として、切り欠き部によるつまみ、あるいは取っ手兼用のたて長の穴によるつまみも、薄手の紙では型崩れにより使用に耐えられない。また、形の点でも指先に馴染みにくく、本発明が期待する効果が得られない。
【発明の開示】
【発明が解決しようとする課題】
【０００６】  本発明が解決しようとする課題は次のようなものである。
（１）装置の変形など、型崩れが少ないこと。
（２）装置が指腹に馴染み、扱いやすいこと。
（３）装置がシンプルであること。
（４）演奏者自身で楽譜めくりが素早くできること。
（５）楽譜めくりをするチャンスが多くとれること。
【課題を解決するための手段】
【０００７】  上記目的を達成するために、本発明の紙片めくり装置は、冊子又は定形の複数の紙葉において、紙片縁内の紙面所定位置に紙片めくり用の指掛け孔を設けることと、この孔はカップ状の指の腹部断面に対応して当接するための円孔であり、この円孔で重ね切通し状の貫通孔としたものである。【０００８】  また、上記指掛け円孔の切り口を、ギザギザ形、なみ形などの波形状（以後、波形状と表記）にカットして指の腹に引っ掛かりやすくしたものである。【０００９】  請求項１又は２の紙片めくり装置において、指掛け孔に引っ掛ける摩擦体は、円孔に対応して当接する、カップ状、又は円柱状の摩擦体である紙片めくり具を提供する。【００１０】  上記指掛け円孔は一本の指に対応したものであるが、同様にこの孔を複数開け、これらの孔を一組とした組孔（以後、組孔と表記）を設け、複数の指で摘めるようにしたものである。【００１１】  つぎに、演奏中の楽譜をめくるチャンスを多くするための解決手段については次のようなものである。【００１２】  片面４ページ以上の屏風折の楽譜から成る冊子に於いて、４ページ分の楽譜を同時視野の下に展開表示し、最初の２ページ分の演奏が終了した後、続く３−４ページ分の演奏の中で支障のないタイミングを選び、展開表示してある４ページ分の中程にある屏風折楽譜の山折部、又は山折部にある組孔を摘み、最初の２ページ分を左の楽譜溜部へ送るようにめくり納めることにより、続く５−６ページ分の楽譜が右の楽譜溜部から同時に引き出され、連続性同時視野の下に改めて次の４ページ分の楽譜が展開表示される、楽譜の譜面めくり機構を提供する。【００１３】  また、ピアノなどの連弾用楽譜として、片面４ページ以上の屏風折の楽譜から成る冊子に於いて、４ページ分の楽譜を同時視野の下に展開表示し、第１パートの楽譜は１ページ目と３ページ目、第２パートの楽譜は２ページ目と４ページ目のように偶数ページと奇数ページに分け、演奏が同時進行になるように展開表示した楽譜となっている。両パートがそれぞれ最初のページの演奏が終了した後、続く次のページの演奏の中で、両パートのどちらかが支障のないタイミングを選び、展開表示してある４ページ分の中程にある２ページ目と３ページ目の境目の山折部、又は山折部にある組孔を摘み、左の２ページ分を左の楽譜溜部へ送るようにめくり納めることにより、続く５−６ページ分の楽譜が右の楽譜溜部から同時に引き出され、連続性同時視野の下に改めて次の４ページ分の楽譜が展開表示される、連弾用屏風折り楽譜の譜面めくり機構を提供する。【００１４】  上記、片面４ページ以上の屏風折りの楽譜から成る冊子に於いて、請求項５又は６記載の譜面めくり機構を備えた屏風折楽譜を提供する。【００１５】  また、屏風折りの台紙による冊子に於いて、台紙の各ページに紙片めくり用の指掛け円孔を設け、その台紙には、弱粘着剤などで紙葉を貼着する、屏風折り紙葉ホルダーを提供する。【００１６】  必要に応じ一時的な利用に供するため、冊子の紙片周縁部に指掛け孔を設けた付け札を弱粘着性の接着剤などで貼り付ける、付け札仕様の紙片めくり具として提供する。【００１７】  付け札は紙片周縁から突き出し状になっているので、他の物との接触によ��型崩れ、破損などの機会も多い。更に、譜めくりの場合は瞬間的な動作の中でのことが多く、付け札と指先との触れ合いの感触は、ことの達成に大きく関わっている。【００１８】  そして、この解決手段として、接触などによる衝撃を吸収する、型崩れしない、軽い、しなやかで手触りがよい、摘みやすい素材として、スポンジ状の発泡樹脂などによる、弾性素材製の付け札を提供する。
【発明の効果】
【００１９】  本発明は、紙片めくりをシンプルな装置で効果的にその目的を達成しようとしたものである。そして、身近にある最も利用しやすい道具であるが、この自分の手の機能と問題解決のための接点を下記のように考察した。【００２０】  指先の指紋のある辺りはふっくらとして、我々の最も鋭い感性と機動性を合わせもっているところである。このカップ状の指の腹を平らな紙面にそっと押し当てると、円い範囲の指紋が採れるが、この円い形のままで、冊子を重ね切通し状に貫通した孔を開け、一番上の紙片の孔に指を添えると、カップ状の指腹の断面に沿って全周囲的に対応したエッジが用意され、自然なかたちで接触する。そして、やや指先を曲げながら、引き上げるようにすると、紙片が指に引掛り浮き上がる。これに続いて釣り上げるようにして紙片めくりをする。又は、他の指を添えて紙片を摘み紙片めくりをする。【００２１】  実際には当接する指は様ざまで、同じ人によっても、左手、右手、あるいは親指、人差し指。さらに、いろいろな方向から手をさしのべて当接する。違う人ならば、手の大きい小さい、大人子供。この様々な指に対応する集約的近似点の形は円形であり、円の大きさで可能な範囲の円の直径は、約１０ミリ〜２５ミリで広範囲にわたる。【００２２】  以下、発明の効果をまとめると、
（１）紙片周縁内の紙面内に設けた孔は、紙片周縁部に守られているので、不用意な外部からの接触もなく、孔の型崩れが少ない。
（２）また、円孔は繰り返しの紙片めくりでも型崩れしにくい形であり、長期間の使用に耐える。
（３）また、組孔については、例えば人さし指と親指による場合は、指の腹の向きが異なるので摘んで紙片めくりをする動作が自然にできる。
（４）上述による屏風折の楽譜において、連続性同時視野の下にページめくりをする紙片めくり機構により、楽譜めくりをするチャンスが多くとれる。
（５）弾性素材による付け札の作用と効果は、型崩れがなく、しなやかな触感で摘みやすい。
【発明を実施するための最良の形態】
【実施例１】
【００２３】  以下、本発明の実施の形態を図に基づいて説明する。
図１において、冊子の小口辺側１の紙面内に、重ね切通し状による紙片めくり用の円孔２を開ける。円孔は平均的な使いよい大きさとして直径は１８ミリ程度がよい。【００２４】  以下、上記構成による機能を説明する。重ね切通し状の円孔２を開けることにより紙片の層の分だけ円孔２に深みができ、その円孔２に軽く指の腹を当てるとカップ状の柔らかい指の腹の一部が孔の深みに入り込み、一番上層にある紙片の円孔２の内周縁のエッジ３に柔らかく当接し、指紋などの皺に引掛け、釣り上げるように引き上げるなかで一枚の紙片を確認し、単指で紙片めくりをすることができる。【００２５】  一般的な製本による冊子では、重ね切通し状の円孔２の切断層の内周壁面は紙面に対し垂直であるが、任意にページを開いたときは、図１（ａ）のように紙面同士のずれに伴い冊子の小口辺部４に下り階段状の段差が生じ、これに伴い図１（ｂ）のように円孔２の切断層も同じ方向にずれが生じ、一番上層の紙片の円孔２の左半分が弧状の下り段差５になり、円孔２の右半分は左半分の裏返し状の反転になる。そして、指の腹に引っ掛かりやすい弧状の鋭いエッジ６が形成され、紙片めくりが一層しやすくなる。【００２６】  また、上記引っ掛け機能は摩擦体である指の腹に限らず、手の不自由な人が使用できるよう、発泡樹脂などによる摩擦体で、その形はカップ状、又は円柱状などのスティックにより、同じような機能をもつ他の摩擦体に代えることもできる。
【実施例２】
【００２７】  図２において、冊子の紙片の小口辺側１の紙面内に、重ね切通し状による紙片めくり用の組孔７を開ける。【００２８】  以下、上記構成による機能を説明する。二つの孔による組孔は、二指によるそれぞれのカップ状の指の腹で二つの孔のエッジを的確に捕らえ、摘みあげることができ、紙片めくりの動作がよりスムーズになる。
【実施例３】
【００２９】図３において、紙片めくり用の孔の切り口を波形状にカットした孔８を設ける。そして、その孔の内縁のエッジに指の腹１０を当接し摩擦作用により引っ掛け紙片めくりをする。【００３０】  上記構成による機能は次のようなものである。波形状にカットした孔８の切り口の凸部９が点線状に指の腹１０に触れ、刺激的な引っ掛かりの感触と、引っ掛かりやすさが得られる。
【実施例４】
【００３１】  図４は、片面４ページ以上の屏風折の楽譜として、ａ面（ａ４−ａ７）の展開表示図であり、この裏面がｂ面となっている。そして４ページ分の楽譜（ａ４−ａ７）を同時視野の下に展開表示されている。展開表示されていない続きのページは楽譜溜部１１又は楽譜溜部１２に溜め置かれている。【００３２】  以下、使用方法を流れ順に説明する。最初の２ページ分（ａ４、ａ５）の演奏が終了した後、続く３−４ページ分（ａ６、ａ７）の演奏の中で支障のないタイミングを選び、展開表示してある４ページ分の中程にある２ページ目（ａ５）と３ページ目（ａ６）の境目の山折部１３又は山折部にある組孔１４を摘み、最初の２ページ分（ａ４、ａ５）を左の楽譜溜部１１へ送るようにめくり納めることにより、続く５−６ページ分（ａ８、ａ９）の楽譜が右の楽譜溜部１２から同時に引き出され、連続性同時視野の下に改めて次の４ページ分（ａ６−ａ９）の楽譜が展開表示される。【００３３】  更に、ピアノなどの連弾用としても、この屏風折の楽譜により同じような効果が得られる。以下、図４により説明する。
最初に４ページ分（ａ４−ａ７）の楽譜を同時視野の下に展開表示し、第１パートの楽譜は１ページ目（ａ４）と３ページ目（ａ６）、第２パートの楽譜は２ページ目（ａ５）と４ページ目（ａ７）のように偶数ページと奇数ページに分け、演奏が同時進行になるように展開表示した楽譜となっている。両パートがそれぞれ最初のページ（ａ４、ａ６）の演奏が終了した後、続く次のページ（ａ５−ａ７）の演奏の中で、両パートのどちらかが支障のないタイミングを選び、展開表示してある４ページ分の中程にある２ページ目（ａ５）と３ページ目（ａ６）の境目の山折部１３、又は山折部にある組孔１４を摘み、左の２ページ分（ａ４、ａ５）を左の楽譜溜部１１へ送るようにめくり納めることにより、続く５−６ページ分（ａ８、ａ９）の楽譜が右の楽譜溜部１２から同時に引き出され、連続性同時視野の下に改めて次の４ページ分（ａ６−ａ９）の楽譜が展開表示される。【００３４】  なお、上記の屏風折りの楽譜はａ面の裏のｂ面も裏返すことにより、請求項５−８記載の各事項においても、それぞれ同様に実施が可能である。
【実施例５】
【００３５】  図５の付け札１５は、紙片縁部から付け出す付け札仕様の紙片めくり具である。付け札１５の中央部に指掛け孔１６を設ける。そして付け札１５の裏面の糊付け部１７には弱粘着剤が塗ってあり、紙片への着脱が自在にできる。
【実施例６】
【００３６】  実施例６に於いては、図５上記付け札１５の素材をスポンジ状の発泡樹脂製で実施したものである。
【図面の簡単な説明】
【００３７】
【図１】（ａ）紙片めくり用の円孔を設けた冊子の斜視図である。（ｂ）紙片めくり用の孔の部分の拡大図である。
【図２】紙片めくり用の組孔を設けた冊子の斜視図である。
【図３】波形状カットによる紙片めくり用の孔の使用説明図である。
【図４】屏風折楽譜の譜面めくり機構の説明図である。また、兼楽譜添付用の屏風折り冊子による紙葉ホルダーの斜視図である。
【図５】付け札仕様の紙片めくり具の斜視図である。
【符号の説明】
【００３８】  １    小口辺側
２    円孔
３    エッジ
４    小口辺部
５    弧状の下り段差
６    弧状の鋭いエッジ
７，１４  組孔
８    波形状にカットした孔
９    凸部
１０    摩擦体（指の腹）
１１，１２  楽譜溜部
１３    山折部
１５    付け札
１６    指掛け孔
１７    糊付け部
【図１】
2009137301.tif 000003
【図２】
2009137301.tif 000004
【図３】
2009137301.tif 000005
【図４】
2009137301.tif 000006
【図５】
2009137301.tif 000007